(57)【要約】    【構成】  光ピックアップ２８がリードインエリア１４からデータエリア１６へ移動する際、光ピックアップ２８がコネクションエリア１８の信号を検出すると、イコライザ４８へ切替スイッチ４４レジスタを設定してデータエリア１６から読み出された信号をイコライザ４８およびＰＲＭＬ回路５２で信号処理し、ＥＣＣデコーダ５０でデコードする。一方、データエリア１６からリードインエリア１４へ移動する際、コネクションエリア１８の信号によりＡ／Ｄ変換器４６へ切替スイッチ４４レジスタ設定して、リードインエリア１４からの信号をＡ／Ｄ変換器４６でディジタル変換してから、ＥＣＣデコーダ５０でデコードする。    【効果】  １系統のイコライザ４８およびＰＲＭＬ回路５２によりリードインエリア１４およびデータエリア１６の信号をそれぞれ適切に再生できる。【選択図】  図１
2005135548.tif 000002
【特許請求の範囲】
【請求項１】
ディスク情報の信号が予め記録された第１領域、前記第１領域の信号形式と異なる信号形式で信号を記録できる第２領域、および前記第１領域と前記第２領域との間に位置し、表面がミラー状の前記第３領域を含む光ディスクを光ピックアップで記録／再生する光ディスク装置における信号処理方法であって、
前記第１領域から読み出したＲＦ信号をＡ／Ｄ変換器してからデコードし、前記第２領域から読み出したＲＦ信号をイコライザおよびＰＲＭＬ回路により信号処理してからデコードする、信号処理方法。
【請求項２】
前記第１領域から前記第２領域へ光ピックアップを移動する際、前記光ピックアップが前記第３領域からの信号を受けると前記イコライザおよび前記ＰＲＭＬ回路を使用し、  前記第２領域から前記第１領域へ光ピックアップを移動する際、前記光ピックアップが前記第３領域からの信号を受けると前記イコライザおよび前記ＰＲＭＬ回路を使用しないように切り替える、請求項１記載の信号処理方法。
【請求項３】
ディスク情報の信号が予め記録された第１領域、前記第１領域の信号形式と異なる信号形式で信号を記録できる第２領域、および前記第１領域と前記第２領域との間に位置し、表面がミラー状の前記第３領域を含む光ディスクを光ピックアップで記録／再生する光ディスク装置であって、
前記光ピックアップからの再生信号を処理してＲＦ信号を出力するアナログ信号処理回路、および
前記ＲＦ信号を受けるディジタル信号処理回路を備え、
前記ディジタル信号処理回路は、前記ＲＦ信号を受けるイコライザと、前記イコライザの出力を受けるＰＲＭＬ回路と、前記ＰＲＭＬ回路の出力を受けてディジタルデータを再生するデコーダとを含む光ディスク装置において、
前記ディジタル信号処理回路に与えられた前記ＲＦ信号をＡ／Ｄ変換して前記デコーダに与えるＡ／Ｄ変換器と、前記ＲＦ信号を前記イコライザに与えるか前記Ａ／Ｄ変換器に与えるかを切り替える切替スイッチをさらに設け、前記光ピックアップが前記第３領域を通過したとき前記切替スイッチを切り替えるようにしたことを特徴とする、光ディスク装置。
【発明の詳細な説明】
【技術分野】
【０００１】
この発明は、光ディスク装置および光ディスク装置における信号処理方法に関し、特にたとえば、ディスク情報が予め記録された第１領域、信号形式が第１領域の信号形式と異なる第２領域および第１領域と第２領域との間に設けられた何も信号が記録されない第３領域（ミラー領域）とを有する光ディスクを光ピックアップが記録／再生する、光ディスク装置および光ディスク装置における信号処理方法に関する。
【背景技術】
【０００２】
光ディスク装置においてディスクに記録された信号を再生する場合、光ディスクの高密度化および信号の読み出し速度の向上に伴い、読み出した信号の品位が悪くてもデコードできるように、光ディスク装置にはＰＲＭＬ（Ｐａｒｔｉａｌ  Ｒｅｓｐｏｎｓｅ  Ｍａｘｉｍｕｍ  Ｌｉｋｅｌｉｈｏｏｄ）回路による信号処理技術が採用されている。
【０００３】
光ディスクの面全体の信号形式が同一であれば、その信号形式にイコライザおよびＰＲＭＬ回路の設定値を合わせる。
【発明の開示】
【発明が解決しようとする課題】
【０００４】
しかし、光ディスクが複数の領域に区分され、それらの領域における信号形式が異なれば、それぞれの領域から読み出した信号品位も変わるので、各領域に対して同じ設定値のイコライザおよびＰＲＭＬ回路を使用することができない。そこで、領域ごとにイコライザなどの信号処理機能を搭載すればよいが、そうすると各領域から信号を読み出すときにそれらの領域に合わせてイコライザおよびＰＲＭＬ回路を切り替える必要がある。そして、切り替える際、光ピックアップの現在位置を検出し、それからどの領域にあるのか判断しなければならない。そして、この領域の判断のため光ピックアップのアドレスを利用する場合には光ピックアップのアドレスを取得し、それを基に現在位置および領域を判定する複雑処理が必要となる。
【０００５】
また、良い方の信号品位を悪い方の信号品位に合わせて、１系統のイコライザなどにより信号処理する方法もあるが、この方法では、良い信号品位を悪くしてから信号処理を行う非効率な処理を行わなければならない。
【０００６】
それゆえに、この発明の主たる目的は、信号形式の異なる２以上の領域がある光ディスクであっても、各領域の信号を簡単かつ適切に再生できる、光ディスク装置における信号処理方法を提供することである。
【課題を解決するための手段】
【０００７】
請求項１の発明は、ディスク情報の信号が予め記録された第１領域、第１領域の信号形式と異なる信号形式で信号を記録できる第２領域、および第１領域と第２領域との間に位置し、表面がミラー状の第３領域を含む光ディスクを光ピックアップで記録／再生する光ディスク装置における信号処理方法であって、第１領域から読み出したＲＦ信号をＡ／Ｄ変換してからデコードし、第２領域から読み出したＲＦ信号をイコライザおよびＰＲＭＬ回路により信号処理してからデコードする、信号処理方法である。
【０００８】
請求項１の発明では、３つの領域に区分された光ディスクの第１領域に記録された信号を再生するには、光ピックアップを第１領域へ移動させて、レーザ光を第１領域へ照射する。レーザ光は光ディスク上で反射され、反射光はアナログ信号処理回路においてＲＦ信号に変換される。このＲＦ信号の信号品位は第２領域の信号品位より良いので、ＲＦ信号を信号処理せずに、Ａ／Ｄ変換してからデコードし、第１領域の信号を再生する。
【０００９】
第２領域に記録された信号を再生するには、光ピックアップを第２領域へ移動させて、レーザ光を第２領域に照射し、アナログ信号処理回路から得たＲＦ信号をイコライザおよびＰＲＭＬ回路を用いて信号処理してからデコードすることにより、第２領域の信号を再生する。
【００１０】
第２領域の信号品位をイコライザおよびＰＲＭＬ回路を用いて信号処理してからデコードすれば、高精度で高速に信号を再生することができる。
【００１１】
第１領域の信号を信号処理せずにデコードし、第２領域の信号を信号処理してからデコードすると、第２領域用のイコライザおよびＰＲＭＬ回路のみを搭載すればよく、第１領域用のイコライザおよびＰＲＭＬ回路のコストを削減することができる。
【００１２】
請求項２の発明は、第１領域から第２領域へ光ピックアップを移動する際、光ピックアップが第３領域からの信号を受けるとイコライザおよびＰＲＭＬ回路を使用し、第２領域から第１領域へ光ピックアップを移動する際、光ピックアップが第３領域からの信号を受けるとイコライザおよびＰＲＭＬ回路を使用しないように切り替える、請求項１記載の信号処理方法である。
【００１３】
請求項２の発明では、第３領域の表面がミラー状であれば、第３領域からの反射光は強くそれのＲＦ信号の大きさは、他の領域のＲＦ信号に比べて大きくなるので、この領域を他の領域と容易に区別することできる。また、第３領域は第１領域と第２領域との間に位置するので、第１領域から第２領域など領域を越える場合、必ず第３領域を通過する。通過する方向がアクセスコマンドや光ピックアップの現在領域などからわかれば、第３領域からの信号により、移動後の領域が判断できる。そこで、たとえば第１領域から第２領域へ移動させる際、光ピックアップが第３領域を通過すると、その信号を検出することにより、イコライザおよびＰＲＭＬ回路を使用しないように切り替える。また、第２領域から第１領域へ移動させ際、光ピックアップが第３領域からの信号を検出すれば、イコライザおよびＰＲＭＬ回路を使用するように切り替える。
【００１４】
第３領域からの信号により、光ピックアップがいる領域が容易に把握できるので、アドレス取得による判定処理が不要となり、処理時間を短縮することができる。さらに、この第３領域の信号を調整するか否かの判断タイミングとするので、容易かつ確実に領域にあった切り替えを行うことができる。
【００１５】
請求項３の発明は、ディスク情報の信号が予め記録された第１領域、第１領域の信号形式と異なる信号形式で信号を記録できる第２領域、および第１領域と第２領域との間に位置し、表面がミラー状の第３領域を含む光ディスクを光ピックアップで記録／再生する光ディスク装置であって、光ピックアップからの再生信号を処理してＲＦ信号を出力するアナログ信号処理回路、およびＲＦ信号を受けるディジタル信号処理回路を備え、ディジタル信号処理回路は、ＲＦ信号を受けるイコライザと、イコライザの出力を受けるＰＲＭＬ回路と、ＰＲＭＬ回路の出力を受けてディジタルデータを再生するデコーダとを含む光ディスク装置において、ディジタル信号処理回路に与えられたＲＦ信号をＡ／Ｄ変換してデコーダに与えるＡ／Ｄ変換器と、ＲＦ信号をイコライザに与えるかＡ／Ｄ変換器に与えるかを切り替える切替スイッチをさらに設け、光ピックアップが第３領域を通過したとき切替スイッチを切り替えるようにしたことを特徴とする、光ディスク装置である。
【００１６】
請求項３の発明では、光ディスクから読み出された再生信号はアナログ信号処理回路によりＲＦ信号に変換され、ディジタル信号処理回路は出力される。そして、ＲＦ信号は切り替えスイッチによりＡ／Ｄ変換器またはイコライザに与えられる。ＲＦ信号が第１領域から読み出されたら、切替スイッチはＡ／Ｄ変換器に切り替えられる。そして、アナログ信号処理回路からのＲＦ信号はＡ／Ｄ変換器に入力され、ディジタルデータに変換されてから、デコーダにより再生される。一方、第２領域から読み出されたＲＦ信号は切替スイッチによりイコライザに入力されてから、ＰＲＭＬ回路に入力される。そこでディジタルデータに変換されて、次にデコーダで再生される。
【００１７】
切替スイッチを切り替えるだけで、第１領域および第２領域の信号を適切に再生することができる。
【発明の効果】
【００１８】
この発明によれば、信号形式の異なる２以上の領域がある光ディスクであっても１系統のイコライザおよびＰＲＭＬ回路だけで異なる領域からの信号を簡単かつ適切に再生できる
この発明の上述の目的，その他の目的，特徴および利点は、図面を参照して行う以下の実施例の詳細な説明から一層明らかとなろう。
【発明を実施するための最良の形態】
【００１９】
図１に示すこの発明の一実施例である光ディスク装置１０は、ＨＤ  ＤＶＤ１２（Ｈｉｇｈ  Ｄｅｆｉｎｉｔｉｏｎ  Ｄｉｇｉｔａｌ  Ｖｅｒｓａｔｉｌｅ  Ｄｉｓｃ）の記録／再生を行う、光ディスク装置１０である。
【００２０】
このＨＤ  ＤＶＤ１２は、ＤＶＤと同じ０．６ｍｍの厚さのディスクを２枚貼り合わせた１．２ｍｍの厚みを有する光ディスクである。実施例のＨＤ  ＤＶＤ１２はリライタブルディスクであり、このリライタブルディスク１２には、図２に示すように、同心円状に区分された３つの領域１４、１６および１８が形成される。
【００２１】
内側の領域１４はシステムリードインエリア（リードインエリア）と呼ばれ、このリードインエリア１４には、ディスク成形時にディスク情報などをピット１４ａで情報化したエンボス信号が形成される。したがって、このリードインエリア１４ではＤＰＤ（Ｄｉｆｆｅｒｅｎｔｉａｌ  Ｐｈａｓｅ  Ｄｅｔｅｃｔｉｏｎ）方式で信号を再生する。このエリア１４のトラックピッチや最短ピット長は赤色レーザを使用するＤＶＤ−ＲＯＭのトラックピッチや最短ピットとほぼ同等な記録密度である。
【００２２】
外側の領域１６はデータエリアと呼ばれ、ユーザによって情報を記録可能な領域である。このデータエリア１６はランド１６ａとグルーブ１６ｂとからなる溝構造を有し、ランド１６ａおよびグルーブ１６ｂの両方に信号が記録される、いわゆるランド／グルーブ記録を行う領域である。したがって、このデータエリア１６ではＰＰ（Ｐｕｓｈ−Ｐｕｌｌ）方式で信号を再生する。
【００２３】
リードインエリア１４とデータエリア１６との間にはコネクションエリア１８が形成される。このコネクションエリア１８には何も記録されず、したがって、その表面は凹凸のない平坦なミラー状である。
【００２４】
ＨＤ  ＤＶＤ１２の再生専用ディスクの場合には、リードインエリア１４とコネクションエリア１８は上述のリライタブルディスク１２と同じであるが、データエリア１６が異なる。再生専用ディスクではデータエリア１６はリードインエリア１４と同様にエンボス化されたピット１４ａで形成される。ただし、トラックピッチはリードインエリア１４のトラックピッチの約６０％と狭く、また最短ピット長は５０％と小さくされる。したがって、再生専用ディスクでは、同じエンボス信号であっても、リードインエリア１４とデータエリア１６とではサーボ係数の最適値は異なる。
【００２５】
図１に戻って、光ディスク装置１０はＭＰＵ２０を含み、このＭＰＵ２０はメモリ２２を有する。ＭＰＵ２０は光ディスク装置１０の全体動作を制御するもので、サーボＤＳＰ２４にコマンドを発行してディスク１２を回転させるとともに、レーザドライバ２６を制御する。メモリ２２には、サーボ係数および光ピックアップ２８レーザパワーのそれぞれの初期情報を予め登録しておく。この初期情報は、光ディスク１２を装着したときや光ディスク装置１０を起動したとき、すなわち初期処理において、サーボ制御し、レーザパワー制御するために利用する。
【００２６】
詳しく解説すると、サーボＤＳＰ２４はＭＰＵ２０からのコマンドに従って、フォーカス、トラッキング、スレッド、スピンドル、チルトなどの各種サーボを実行する。モータ／コイルドライバ３０はスピンドルモータ３２に駆動電力を与えるとともに、光ピックアップ２８のフォーカスコイル３４を駆動する。スピンドルモータ３２は光ディスク１２を回転させる。
【００２７】
光ピックアップ２８は、たとえば青紫色のレーザダイオード３６を含み、このレーザダイオード３６からの青紫色のレーザ光が、フォーカスコイル３４で伝達制御される対物レンズ（図示せず）を通して光ディスク１２に照射される。光ディスク１２で反射されたレーザ光は対物レンズを経て光検出器３８に入射される。光検出器３８は良く知られているように４つの検出領域を有し、４つの光検知信号をアナログ信号処理回路４０へ入力する。
【００２８】
アナログ信号処理回路４０は４つの光検知信号に基づいてフォーカスエラー信号やトラッキングエラー信号を生成するとともに、ＲＦ信号をディジタル信号処理回路４２へ入力する。フォーカスエラー信号およびトラッキング信号はフォーカスサーボおよびトラッキングサーボのためにサーボＤＳＰ２４に伝えられる。
【００２９】
ディジタル信号処理回路４２へ伝えられたＲＦ信号は、ディジタル信号処理回路４２内の切替スイッチ４４によりＡ／Ｄ変換器４６またはイコライザ４８に出力される。後述のように、ＲＦ信号がリードインエリア１４から読み出されたなら、ＭＰＵ２０はＲＦ信号がＡ／Ｄ変換器４６へ与えられるように切替スイッチ４４を切り替える。したがって、ＲＦ信号はＡ／Ｄ変換器４６でディジタル変換され、ＥＣＣデコーダ５０に送られ、そこでデコードされる。一方、データエリア１６から読み出されたＲＦ信号であれば、ＭＰＵ２０は後述のように、ＲＦ信号がイコライザ４８へ与えられるように、切替スイッチ４４を切り替える。したがって、ＲＦ信号はイコライザ４８で波形整形され、次いでＰＲＭＬ回路５２でディジタル信号へ置換されてから、ＥＣＣデコーダ５０に送られる。ＥＣＣデコーダ５０でデコードされ、それによって光ディスク１２からデータ再生が行われる。
【００３０】
ディジタル信号処理回路４２によって再生されたディジタルデータは、ＲＡＭ５４に一時的にストアされ、必要に応じて、その再生データはインタフェース５６を介してパソコンなどのホスト（図示せず）に送られる。
【００３１】
具体的には、光ディスク装置１０の起動時などの初期処理において、光ピックアップ２８はリードインエリア１４へ送られ、ディスク情報を読み出す。ディスク情報はアナログ信号処理回路４０へ入力され、ＲＦ信号へ変換される。このとき、切替スイッチ４４はＡ／Ｄ変換器４６側へ切り替えられている。ＲＦ信号はＡ／Ｄ変換器４６でＡ／Ｄ変換されてから、ＥＣＣデコーダ５０でデコードされる。そして、光ピックアップ２８がディスク情報を読み出した後、光ピックアップ２８をデータエリア１６へ送る。光ピックアップ２８がリードインエリア１４からデータエリア１６へ移動する際、光ピックアップ２８がコネクションエリア１８を通過すると、サーボＤＳＰ１４はアナログ信号処理回路４０からコネクションエリア１８のＲＦ信号を得て、切替スイッチ４４を切り替えるために、ＭＰＵ２０に割り込み信号を送信する。
【００３２】
割り込み信号を受けたＭＰＵ２０は図３に示すフロー図に従って割り込み処理を実行する。ステップＳ１で割り込み情報を確認し、ステップＳ３において、その情報が光ピックアップ２８のコネクションエリア１８通過によるものか否かを判断する。光ピックアップ２８がコネクションエリア１８を通過したことによるものでなければ、割り込み処理は他の処理であるので、その処理をステップＳ５で行い、処理は終了する。
【００３３】
一方、ステップＳ３において、割り込み情報がコネクションエリア１８を通過したことによるものであれば、次にステップＳ７で、サーボＤＳＰ１４から返送されるステータスによりＭＰＵ２０は光ピックアップ２８の現在領域またはアクセス方向などを調べ、それを基に光ピックアップ２８が移動後にリードインエリア１４にいるかデータエリア１６にいるかをステップＳ９にて判断する。
【００３４】
光ピックアップ２８がデータエリア１６からリードインエリア１４へ移動して、現在リードインエリア１４にあれば、ステップＳ１１によりリードインエリア１４ではイコライザ４８およびＰＲＭＬ回路５２を使用しないように、ステップＳ１３でＡ／Ｄ変換器４６へ切替スイッチレジスタまたはフラグを設定する。一方、光ピックアップ２８がリードインエリア１４からデータエリア１６へ移動し、光ピックアップ２８がデータエリア１６にあれば、ステップＳ１５でデータエリア１６からのＲＦ信号にイコライザ４８およびＰＲＭＬ回路５２を使用するように、ステップＳ１３でイコライザ４８へ切替スイッチレジスタまたはフラグを設定する。
【００３５】
このように、光ピックアップ２８の現在領域がリードインエリア１４であればイコライザ４８およびＰＲＭＬ回路５２を使用せず、ＲＦ信号をＡ／Ｄ変換器４６から直接デコーダ５０に与える。これに対して、データエリア１６であればイコライザ４８およびＰＲＭＬ回路５２で処理した後、デコーダ５０に与える。
【００３６】
すなわち、光ピックアップ２８の存在領域から切替スイッチ４４を切り替えるだけの簡単な制御により、リードインエリア１４およびデータエリア１６の信号をそれぞれデコードし、再生できる。したがって、データエリア１６用のイコライザ４８およびＰＲＭＬ回路５２をそれぞれ１つだけ光ディスク装置１０に搭載すればよく、部品コストを削減することができる。
【００３７】
また、この実施例では、光ピックアップ２８の存在領域をコネクションエリア１８の信号により判断するようにしているので、アドレスから判断する場合の判定処理が必要なく、処理時間を短縮することができる。
【図面の簡単な説明】
【００３８】
【図１】この発明の一実施例の光ディスク装置を示す断面図である。
【図２】（Ａ）はリライタブルディスクの概略構成を示す図解図であり、（Ｂ）は（Ａ）の部分拡大図である。
【図３】図１実施例の光ディスク装置におけるＭＰＵの割り込み処理を示すフロー図である。
【符号の説明】
【００３９】
１０…光ディスク装置
１２…リライタブルディスク（ＨＤ  ＤＶＤ）
１４…リードインエリア
１６…データエリア
１８…コネクションエリア
４０…アナログ信号処理回路
４２…ディジタル信号処理回路
４４…切替スイッチ
４６…Ａ／Ｄ変換器
４８…イコライザ
５２…ＰＲＭＬ回路
５０…ＥＣＣデコーダ
【図１】
2005135548.tif 000003
【図２】
2005135548.tif 000004
【図３】
2005135548.tif 000005